(57)【要約】【課題】デジタル記録された本編コンテンツを含む１幕を自動的に上映することができ、また、複数の幕を上映するに際して本編コンテンツなどの電子コンテンツが各幕間で異なる場合でも、各幕を上映するための機器設定を自動的に行うことが可能なシアターコントロール装置を得る。【解決手段】デジタル記録された幕間ＣＭ、有料ＣＭ、予告編、本編コンテンツの複数指定、各コンテンツの再生順序および再生開始条件、前記各コンテンツを再生出力する場合のコンテンツサーバ３０１、プロジェクタ３０２およびバリマスク３０５、ステージ照明機器３０６などの機器設定を１上映シーケンスデータとして登録可能な設定マネージャ１００と、この設定マネージャ１００に登録された１上映シーケンスデータに基づいて制御対象機器に対する制御指示を制御インターフェース１６１ａ〜１６３ｂを介して出力するＳＴＥＰシーケンサ１２０とを備えた構成とした。【選択図】図１
2010028830.tif 000002
【特許請求の範囲】
【請求項１】
デジタル記録された本編コンテンツの指定、この本編コンテンツと共に１幕を構成する各種のコンテンツの指定、前記本編コンテンツと前記各種コンテンツの再生順序および再生開始条件、前記本編コンテンツと前記各種のコンテンツを再生出力する場合の上映機器および劇場設備機器の機器設定を１上映シーケンスデータとして登録可能な制御シーケンス設定装置と、
前記制御シーケンス設定装置に登録された１上映シーケンスデータに基づいて制御対象機器に対する制御指示を制御インターフェースを介して出力するプログラム実行装置と、
前記プログラム実行装置の処理履歴情報を記録するログ管理装置とを備えたシアターコントロール装置。
【請求項２】
前記上映機器から送信された機器状態情報を記録する状態管理装置を備えた請求項１に記載のシアターコントロール装置。
【請求項３】
前記機器状態情報の内容または受信状況に基づいて機器異常を監視する緊急対応装置を備え、前記制御シーケンス設定装置により前記機器異常に対応する緊急シーケンスデータを登録可能とし、
前記緊急対応装置が、検出した機器異常に対応する緊急シーケンスデータを前記プログラム実行装置に実行させる請求項２に記載のシアターコントロール装置。
【請求項４】
ネットワーク通信装置を備え、前記ネットワーク通信装置を介して前記制御シーケンス設定装置に対し前記上映シーケンスデータを登録可能とし、前記ネットワーク通信装置を介して前記機器状態情報、前記処理履歴情報、及び前記機器異常の発生を示す機器異常情報のうち、１以上の情報を予め登録された通知先に送信可能とし、前記ネットワーク通信装置の受信した制御指示により前記緊急対応装置が緊急シーケンスデータを実行するようにした請求項３に記載のシアターコントロール装置。
【請求項５】
前記上映機器に遅れ時間をもって連動させる予備上映機器の設定を前記１上映シーケンスデータに登録可能とし、前記制御インターフェースに予備上映機器を接続可能とし、前記上映機器と前記予備上映機器の切り替え装置を設けた請求項１から４のいずれかに記載のシアターコントロール装置。
【請求項６】
前記１上映シーケンスデータに前記上映機器としてフィルム映写機の指定を登録可能とし、前記制御インターフェースにフィルム映写機を接続可能とした請求項１から５のいずれかに記載のシアターコントロール装置。
【請求項７】
請求項４に記載のシアターコントロール装置と、このシアターコントロール装置とネットワークを介して接続された通信装置とを含み、前記通信装置と前記シアターコントロール装置との間で、前記制御シーケンス設定装置に登録される上映シーケンスデータを送受信可能に設けたシアターコントロールシステム。
【請求項８】
前記機器状態情報および前記処理履歴情報のうち、１以上の情報の取得要求を前記通信装置により前記シアターコントロール装置に送信可能とし、
前記シアターコントロール装置を、前記ネットワークを介して受信した取得要求に応じた情報を前記通信装置に送信するように設けた請求項７に記載のシアターコントロールシステム。
【請求項９】
前記通信装置と接続されており、前記シアターコントロール装置と前記通信装置との間で送受信される上映シーケンスデータと、前記通信装置の受信した前記機器状態情報および前記処理履歴情報のうち、１以上の情報とを蓄積するデータベース装置を備えた請求項８に記載のシアターコントロールシステム。
【発明の詳細な説明】
【技術分野】
【０００１】
この発明は、上映機器や劇場設備機器を１幕単位でシーケンス制御するシアターコントロール装置、およびこのシアターコントロール装置を利用したシアターコントロールシステムに関する。
【背景技術】
【０００２】
上映劇場では、開場から終映までに上映されるコンテンツ群により１幕を構成している。一般に、１幕中に再生出力されるコンテンツ群には、広告と予告編を含む告知コンテンツと、本編コンテンツと、その他背景音楽やアナウンスの音声コンテンツとが含まれる。
【０００３】
広告コンテンツは、テレビ放映される広告フィルムが流用されることが多く、予告編コンテンツや本編コンテンツとは画郭サイズが異なる。このため、広告コンテンツと予告編コンテンツの間に、投影画像の拡大率変更、音響プロセッサの入力モード変更、バリマスクの調整などが行われる。また、劇場内の照明なども観客の移動を考慮して適宜に変更する必要がある。これらの機器設定を劇場スタッフがすべて行うのは作業負担が大きく、これを軽減するため、１幕単位で上映機器や劇場設備機器の機器設定を自動的に行うようにしたシアターコントロール装置が利用されている。
【０００４】
例えば、１幕を構成する各コンテンツごとに再生機器（ＶＴＲ装置）を用意し、各再生機器装置ごとにその再生時における他の上映機器や劇場設備機器の設定をプリセット可能とし、シーケンス制御により１幕中の各種設定を自動的に行うシアターコントロール装置がある（特許文献１参照）。
【先行技術文献】
【特許文献】
【０００５】
【特許文献１】特開昭６３−７０３０４号公報
【発明の概要】
【発明が解決しようとする課題】
【０００６】
しかしながら、近年のデジタルコンテンツ技術の発達に伴い、デジタル記録された本編コンテンツによる上映が開始されている。このようにデジタル記録された本編コンテンツを上映する場合、上映機器の主たる装置としては、外部ストレージにデジタル記録された本編コンテンツをネットワークを介して受信・再生し、または内部記憶装置にデジタル記録された本編コンテンツを再生する１台のデジタル再生機器と、再生映像データをスクリーンに投影するプロジェクタと、再生音声データをスピーカより出力する音響プロセッサとが利用される。従って、例えば、同じ日に、１幕目に上映した本編コンテンツとは別の本編コンテンツを２幕目に上映する場合や、告知コンテンツとして１幕目と異なるデジタルコンテンツを上映するような場合でも同じデジタル再生機器で再生させることになる。ところが、特許文献１のシアターコントロール装置は、１幕中の上映コンテンツ数に対応する数の再生機器と制御設定キー群を１対１で対応させるものであり、上記のような構成の上映機器に対応することができない。
【０００７】
そこで、この発明の課題は、デジタル記録された本編コンテンツを含む１幕を自動的に上映することができ、また、複数の幕を上映するに際して本編コンテンツなどの電子コンテンツが各幕間で異なる場合でも、各幕を上映するための機器設定を自動的に行うことが可能なシアターコントロール装置を得ることにある。
【課題を解決するための手段】
【０００８】
上記の課題を解決するため、この発明は、デジタル記録された本編コンテンツの指定、
この本編コンテンツと共に１幕を構成する各種のコンテンツの指定、前記本編コンテンツと前記各種のコンテンツの再生順序および再生開始条件、前記本編コンテンツと前記各種コンテンツを再生出力する場合の上映機器および劇場設備機器の機器設定を１上映シーケンスデータとして登録可能な制御シーケンス設定装置と、前記制御シーケンス設定装置に登録された１上映シーケンスデータに基づいて制御対象機器に対する制御指示を制御インターフェースを介して出力するプログラム実行装置とを備えた構成とした。
なお、本編コンテンツは、電子化された映画コンテンツである。各種のコンテンツは、例えば、予告編コンテンツ、広告コンテンツなどの告知コンテンツ、背景音楽やアナウンスの音声コンテンツであり、電子コンテンツ、アナログコンテンツのいずれでもよい。
上映機器には、少なくとも本編コンテンツの再生出力に関するデジタル機器が含まれ、各種のコンテンツに対応した再生出力に関する機器が選択的に含まれる。
デジタル機器としては、例えば、ネットワークを介して取得した本編コンテンツをデジタル記録し、これを再生することが可能なコンテンツサーバ、本編コンテンツの記録媒体を再生するデジタルプレーヤなどのデジタル再生機器、デジタル再生機器の映像出力を受けてスクリーンに投影するプロジェクタ、デジタル再生機器の音声出力を受けてスピーカの音響制御を行う音響プロセッサが挙げられる。
各種のコンテンツに対応した再生出力に関する機器としては、例えば、前記デジタル機器を利用することができるのは勿論であり、別途、電子広告コンテンツを再生するシネアドプレーヤ、電子予告編コンテンツを再生する予告編プレーヤ、ＡＶ入出力切替機、ＡＶ入出力変換機、フィルム映写機、テープ記録媒体の再生装置などを選択的に含めることができる。
劇場設備機器は、前記上映機器を除く劇場付属機器であり、例えば、バリマスク、場内照明機器、火災報知機器などである。
【０００９】
上記構成によれば、１幕の構成に基づいた上映機器や劇場設備機器の制御内容が、制御シーケンス設定装置を用いることにより予め１上映シーケンスデータとして登録される。プログラム実行装置が１上映シーケンスデータに基づいて制御インターフェースから制御指示を出力することにより、１幕を構成する本編コンテンツおよび各種コンテンツが、再生順序と再生開始条件に従って上映機器により順次に再生出力され、上映機器および劇場設備機器が各コンテンツの再生出力に適した設定に変更される。その結果、デジタル記録された本編コンテンツを含む１幕が自動的に上映される。
また、上記構成によれば、１上映シーケンスデータが１幕に対応するため、複数の幕を上映するに際して本編コンテンツなどの電子コンテンツが各幕間で異なる場合でも、複数の上映シーケンスに異なるコンテンツや制御内容を登録することにより、各幕を上映するための機器設定を自動的に行うことができる。
【００１０】
上記構成において、前記１上映シーケンスデータに前記上映機器としてフィルム映写機の指定を登録可能とし、前記制御インターフェースにフィルム映写機を接続可能とした構成を採用すれば、各種コンテンツとしてフィルムコンテンツが含まれる１幕の上映に際し、係員によりフィルム映写機による上映とデジタル再生機器による上映とを切り替える必要がなくなり、その結果、フィルムコンテンツとデジタル記録された本編コンテンツで混成された１幕を自動的に上映可能にしつつ、運用負担を軽減することができる。
【００１１】
上記構成において、前記プログラム実行装置の処理履歴情報を記録するログ管理装置を備えた構成を採用すれば、処理履歴情報から機器の障害兆候を把握することができ、また、広告依頼主は、広告コンテンツが予定通りに上映されたことを確認することが可能になる。
【００１２】
上記構成において、前記上映機器から送信された機器状態情報を記録する状態管理装置を備えた構成を採用すれば、上映機器の状態を一括管理することができる。
【００１３】
また、前記状態管理装置を利用することにより、前記機器状態情報の内容または受信状況に基づいて機器異常を監視する緊急対応装置を備え、前記制御シーケンス設定装置により前記機器異常に対応するための緊急シーケンスデータを登録可能とし、前記緊急対応装置が、検出した機器異常に応じた緊急シーケンスデータを前記プログラム実行装置に実行させる構成を採用すれば、緊急対応装置により機器異常の自動復旧を図ることができる。
【００１４】
上記のように機器状態情報の送信可能な上映機器としては、ＤＣＩ（Ｄｉｇｉｔａｌ  Ｃｉｎｅｍａ  Ｉｎｉｔｉａｔｉｖｅｓ）に準拠した機器など、デジタルに対応したものが挙げられる。
【００１５】
また、上記構成において、前記上映機器に遅れ時間をもって連動させる予備上映機器の設定を前記１上映シーケンスデータに登録可能とし、前記制御インターフェースに予備上映機器を接続可能とし、前記上映機器と前記予備上映機器とを切り替え可能とした構成を採用すれば、仮にＡコンテンツの上映継続が困難な機器異常が上映機器に生じた場合でも、予備上映機器による再生出力を速やかに開始することができる。ここで、予備上映機器は、上映機器に対し遅れ時間をもって連動再生するので、Ａコンテンツと同一内容のコンテンツを予備上映機器に再生させておけば、観客に対して、Ａコンテンツを遅れ時間分だけ時間的に戻ったところから再生出力させることができる。
【００１６】
また、上記構成において、ネットワーク通信装置を備え、前記ネットワーク通信装置を介して前記制御シーケンス設定装置に対し前記上映シーケンスデータを登録可能とし、前記ネットワーク通信装置を介して前記機器状態情報、前記処理履歴情報、及び前記機器異常の発生を示す機器異常情報のうち、１以上の情報を予め登録された通知先に送信可能とし、前記ネットワーク通信装置の受信した制御指示により前記緊急対応装置が緊急シーケンスデータを実行するようにした構成を採用すれば、上映シーケンスデータの設定と、前記１以上の情報の遠隔監視が可能になる。ここで、前記処理履歴情報に基づいて上映機器等の動作を分析することができ、前記機器状態情報及び前記機器異常情報はいずれも上映機器の状態を示す情報であるから、前記１以上の情報の遠隔監視により上映機器の状態把握および復旧を遠隔地から迅速に行うことが可能になる。その結果、係員が劇場の機器設置室に常駐する必要性をなくすことができる。
【００１７】
具体的には、上記のようにネットワーク通信装置を備えたシアターコントロール装置と、このシアターコントロール装置とネットワークを介して接続された通信装置とを含み、前記通信装置と前記シアターコントロール装置との間で、前記制御シーケンス設定装置に登録される上映シーケンスデータを送受信可能に設けたシアターコントロールシステムを構成することにより、上映シーケンスデータの遠隔設定が可能なシアターコントロールシステムが実現され、その結果、複数のシアターコントロール装置に対し、上映シーケンスデータの遠隔設定と集中管理を行うことができる。
【００１８】
さらに、上記シアターコントロールシステムにおいて、前記通信装置により前記機器状態情報および前記処理履歴情報のうち、１以上の情報の取得を可能とし、前記シアターコントロール装置を、前記ネットワークを介して受信した取得要求に応じた情報を前記通信装置に送信するように設けた構成を採用することにより、上映機器の一括管理、機器異常の把握、復旧が遠隔地にいながら可能なシアターコントロールシステムが実現され、その結果、複数の上映劇場を集中管理することができる。
【００１９】
より具体的には、前記通信装置と接続されており、前記シアターコントロール装置と前記通信装置との間で送受信される上映シーケンスデータと、前記通信装置の受信した前記機器状態情報および前記処理履歴情報のうち、１以上の情報とを蓄積するデータベース装
置を備えたシアターコントロールシステムとすれば、例えば、シーケンスデータを蓄積することにより、各劇場に設定するシーケンスデータ（上映シーケンスデータ、緊急シーケンスデータ）を一括管理することができ、シアターコントロール装置側に設定されているシーケンスデータと、データベース装置に蓄積されたシーケンスデータとを照合することにより設定状況を確認することができる。また、前記機器状態情報および前記処理履歴情報を蓄積することにより、各劇場での一定期間の上映状況を容易に確認することができ、各劇場の管理に反映することができる。
【発明の効果】
【００２０】
上述のように、この発明によれば、デジタル記録された本編コンテンツを含む１幕を自動的に上映することができ、また、複数の幕を上映するに際して本編コンテンツなどの電子コンテンツが各幕間で異なる場合でも、各幕を上映するための機器設定を自動的に行うことが可能なシアターコントロール装置を得ることができる。
【図面の簡単な説明】
【００２１】
【図１】実施形態に係るシアターコントロールＢＯＸの機能ブロック図
【図２】図１のシアターコントロールＢＯＸの回路ブロック図
【図３】図１のシアターコントロールＢＯＸの平面図
【図４】図１のシアターコントロールＢＯＸで処理される上映シーケンスデータの一例を示した概念図
【図５】図１のシアターコントロールＢＯＸで処理される状態管理データを例示した概念図
【図６】（ａ）図１の緊急対応マネージャが実行する処理のフロー図、（ｂ）緊急対応シーケンスデータを例示した概念図
【図７】図１のシアターコントロールＢＯＸの第１使用例の全体構成図
【図８（ａ）】第１使用例で実行されるシステムフロー図の先頭部
【図８（ｂ）】図８（ａ）の続きを示したシステムフロー図
【図９】図１のシアターコントロールＢＯＸの第２使用例の全体構成図
【図１０】第２使用例で実行される部分システムフロー図
【図１１】図１のシアターコントロールＢＯＸの第３使用例の全体構成図
【図１２】第３使用例で実行される部分システムフロー図
【図１３】図１のシアターコントロールＢＯＸの第４使用例の全体構成図
【図１４】図１のシアターコントロールＢＯＸの第５使用例の全体構成図
【図１５】図１のシアターコントロールＢＯＸを含むシアターコントロールシステムの全体構成図
【図１６】図１５に示すシアターコントロールシステムにおいて、シアターコントロールＢＯＸ１の状態管理データをセンター側に取得・蓄積する場合のフロー図
【図１７】上映ログデータの一例を示す概念図
【図１８】図１５に示すシアターコントロールシステムにおいて、データベースサーバに蓄積されたデータを端末で閲覧する場合のフロー図
【図１９】図１５に示すシアターコントロールシステムにおいて、端末からシアターコントロールＢＯＸのシーケンスデータを変更登録する場合のフロー図
【図２０】図１５に示すシアターコントロールシステムにおいて、端末からシアターコントロールＢＯＸのパラメータを変更登録する場合のフロー図
【図２１】図１５に示すシアターコントロールシステムにおいて、シアターコントロールセンター側から設定・閲覧用ＰＣにアラームを送信する場合のフロー図
【発明を実施するための形態】
【００２２】
以下、この発明の実施形態に係るシアターコントロール装置を添付図面に基づいて説明する。図１は、このシアターコントロール装置の機能を概念的に示した機能ブロック図であり、図２は、このシアターコントロール装置の回路ブロック図であり、図３は、このシアターコントロール装置の外観図である。
【００２３】
図２、図３に示すように、このシアターコントロール装置は、箱体のケーシングに格納された外部電源供給装置１０と、メインボード２０とを備えている（以下、このシアターコントロール装置のことをシアターコントロールＢＯＸ１という）。メインボード２０は、コンピュータ２１と、バス（ＢＵＳ）２２を介してコンピュータ２１に接続された記憶保持装置２３および２４と、各種の制御インターフェース２５ａ〜２５ｅと、ネットワーク通信と各種の制御に兼用される通信制御インターフェース２６と、制御インターフェース２５ａ〜２５ｅに接続される信号線のコネクタボード２７、２８とを有する。なお、通信制御インターフェースの「各種の制御」とは、ネットワーク２を介して受信した制御指示に基づいて各機器を制御することである。
【００２４】
メインボード２０には、制御インターフェース２５ａ〜２５ｅに接続された機器の状態を示すアラームランプ１１ａの表示ボード１１と、制御インターフェース２５ａ〜２５ｅに接続された上映機器に広告（ＣＭ）コンテンツを指定するためのシネアド選択キー１２ａ、１３ａを設けた入力ボード１２、１３と、コンピュータ２１に各種の制御指示を手動入力するためのシーケンス制御キー１４ａ〜１４ｇを設けた入力ボード１４と、コンピュータ２１、記憶保持装置２３および２４の保持する情報を表示するための液晶パネル１５ａを設けたＬＣＤボード１５と、記憶保持装置２３の保持するプログラムを指定するためのプログラム選択キー１６ａおよび選択プログラムを表示するランプ１６ｂを設けた入力・表示ボード１６とが接続されている。
【００２５】
上記のハードウェア構成を含むシアターコントロールＢＯＸ１は、図１に示すように、機能的に各種の装置が具現化されるプログラマブル制御装置となっている。以下、図２、図３に示した符号を適宜引用しつつ具体的に説明する。
【００２６】
設定マネージャ１００は、デジタル記録された本編コンテンツの指定、この本編コンテンツと共に１幕を構成する各種のコンテンツの指定、前記本編コンテンツと前記各種のコンテンツの再生順序および再生開始条件、前記本編コンテンツと前記各種コンテンツを再生出力する場合の上映機器および劇場設備機器の機器設定を１上映シーケンスデータとして記憶保持装置２３のシーケンスデータ格納部１０１に登録可能な制御シーケンス設定装置に相当し、記憶保持装置２３に保持されたプログラムによりコンピュータ２１を含む上
記ハードウェア上に実現される。
【００２７】
具体的には、上映シーケンスデータは、記憶保持装置２３に保持されたＬＡＮドライバ１１０によりコンピュータ２１、ＮＩＣ（Ｎｅｔｗｏｒｋ  Ｉｎｔｅｒｆａｃｅ  Ｃａｒｄ）２６のＥｔｈｅｎｅｔ  Ｉ／Ｆポート１１１などで実現されるネットワーク通信装置を介して、外部端末またはネットワーク２に接続されたサーバなどから設定マネージャ１００に入力されるようになっている。設定マネージャ１００は、受信した上映シーケンスデータをシーケンスデータ格納部１０１に登録・管理する。シーケンスデータ格納部１０１には、複数（この実施形態では、ランプ１６ｂで表示可能な数となっている）の上映シーケンスデータを格納することができる。
【００２８】
また、設定マネージャ１００は、コンピュータ２１を含む上記ハードウェアに対して、上記通信装置を介して受信した各種のパラメータを記憶保持装置２３のパラメータ格納部１０２に登録・管理させ、上記通信装置を介して外部端末やサーバに上映シーケンスデータ、パラメータを閲覧させる機能を有する。
【００２９】
パラメータ格納部１０２に登録されるパラメータとしては、ネットワーク２を経由してシアターコントロールＢＯＸ１にログインするための識別情報（この実施形態では、ＩＤ番号）やパスワード、制御インターフェース２５ａ〜２５ｅに接続される各機器のデバイスデータ（通信パラメータ）、上記ネットワーク通信装置のＬＡＮ設定データ、上記ネットワーク通信装置を介して情報を送受信する外部端末やサーバの通信先データなどが挙げられる。
【００３０】
前記上映シーケンスデータの一例を図４に概念的に示す。この上映シーケンスデータ２００に記述可能な設定事項は次の通りである。
【００３１】
２０１：登録番号
この設定により、上映シーケンスデータの選択が可能になる。
【００３２】
２０２：各シーケンスＳＴＥＰにおいて上映するコンテンツの区分（幕間ＣＭコンテンツ（以下、単に幕間ＣＭという）、有料ＣＭコンテンツ（以下、単に有料ＣＭという）、予告編コンテンツ（以下、単に予告編という）、本編コンテンツ（以下、単に本編という）の設定
この設定により、１幕の構成に応じた本編コンテンツと各種のコンテンツの再生順序を設定することが可能になる。
【００３３】
２０３：予めデジタル記録された本編コンテンツに割り当てられた上映指定番号（００１〜００９）の設定
この設定により、上映指定番号のコンテンツの再生指示が上映機器に自動的に送信され、シーケンスＳＴＥＰごとに１つのコンテンツが再生される。
上映指定番号は、外部ストレージにデジタル記録された本編コンテンツや内部記憶装置にデジタル記録された本編コンテンツごとに予め割り当てられる。
【００３４】
２０４：プロジェクタのＯＮ／ＯＦＦ設定
２０５：プロジェクタのＭＵＴＥ／ＯＦＦ設定
これらの設定により、各シーケンスＳＴＥＰにおいて上映される上記（２０３）のコンテンツに対応するプロジェクタの出力制御が自動化される。
【００３５】
２０６：フィルム映写機のＳＴＡＲＴ／ＳＴＯＰ設定
フィルム映写機を予備上映機器としてデジタル再生機器に連動させることが可能になる
。
【００３６】
２０７：場内照明のＯＮ／ＯＦＦ設定
２０８：ステージ照明のＯＮ／ＯＦＦ設定
２０９：誘導灯のＯＮ／ＯＦＦ設定
これらの設定により、１幕の構成に応じて、また各シーケンスＳＴＥＰにおいて上映される上記（２０３）のコンテンツに応じて場内の照明が自動的に調整される。
【００３７】
２１０：バリマスクの画郭サイズ（ＣＩＮＥ、ＶＩＳＴＡ、ＴＶ）設定
２１１：スキャンコンバータの画像拡大率（７５％、１００％、１０５％、１３３％）設定
これらの設定により、各シーケンスＳＴＥＰにおいて上映される上記（２０３）のコンテンツに応じてスクリーンへの画像投影サイズが自動的に調整される。
【００３８】
２１２：音響プロセッサの音響入力モード（ＮｏＳｙｎｃ１、ＮｏＳｙｎｃ２、６ｃｈ）設定
２１３：音響プロセッサの音量（０〜１００段階）設定
これらの設定により、１幕の構成に応じて、また各シーケンスＳＴＥＰにおいて上映される上記（２０３）のコンテンツに応じて場内の音響環境が自動的に調整される。
【００３９】
２１４：シーケンスＳＴＥＰの実行待ち時間（０〜９９９秒）設定
２１５：シーケンスＳＴＥＰのスタートタイミング（前ステップ終了、幕間ＣＭコンテンツ終了、有料ＣＭコンテンツ終了、予告編終了、本編終了、エンドロール受信）設定
これらにより、各シーケンスＳＴＥＰが自動的に実行される。また、上映機器と予備上映機器とを遅れ時間をもって連動させることが可能になり、各シーケンスＳＴＥＰ間の実行間隔を自在に設定することが可能になる。
【００４０】
上記の上映シーケンスデータ２００では、シーケンスＳＴＥＰ１を、開場から幕間ＣＭコンテンツ上映の直前までに実行させる機器設定とし、シーケンスＳＴＥＰ２を、幕間ＣＭコンテンツの上映時に実行させる機器設定とし、シーケンスＳＴＥＰ３を、有料ＣＭコンテンツの上映時に実行させる機器設定とし、シーケンスＳＴＥＰ４を、予告編の上映時に実行させる機器設定とし、シーケンスＳＴＥＰ５を、本編の上映時に実行させる機器設定とし、シーケンスＳＴＥＰ６を、本編上映後に予備上映機器としてのフィルム映写機を遅れ時間もって連動させる機器設定とし、シーケンスＳＴＥＰ７を、コンテンツサーバから本編のエンドロール受信情報が送られた時に実行させる機器設定とし、シーケンスＳＴＥＰ８を、コンテンツサーバから本編の終了受信情報が送られた時に実行させる機器設定とした対応となっている。
なお、上記の上映シーケンスデータ２００は一例であり、制御対象機器の制御コマンドに基づいて設定項目を変更、追加等することができる。シーケンスＳＴＥＰの設定可能数は、適宜に定めればよい。
【００４１】
図１に示したＳＴＥＰシーケンサ１２０は、コンピュータ２１を含む上記ハードウェアと、記憶保持装置２３に保持されたプログラムからなり、上映シーケンスデータに基づいて制御対象機器に対する制御指示を制御インターフェース２５ａ〜２５ｅを介して出力するプログラム実行装置に相当し、記憶保持装置２３に保持されたプログラムによりコンピュータ２１を含む上記ハードウェア上に実現される。
【００４２】
１のシーケンスＳＴＥＰ中の設定事項には、実行順序が定められており、ＳＴＥＰシーケンサ１２０は、この実行順序に従って各制御指示を出力させるようになっている。実行順序は、適宜に定めることができる。例えば、上記の上映シーケンスデータ２００を例に
すると、プロジェクタのＭＵＴＥ制御（２０５）→フィルム映写機制御（２０６）→場内照明制御（２０７）→ステージ照明制御（２０８）→バリマスク制御（２１０）→音量および上映関連制御（２１１）、（２１２）、（２１３）→プロジェクタ動作関連制御（２０４）、シーケンスＳＴＥＰのスタートタイミング制御（２１５）と定めることができる。
【００４３】
また、ＳＴＥＰシーケンサ１２０は、各種の手動キー１２ａ〜１４ｇ、１６ａが操作されると、記憶保持装置２３に保持され、これらの入力を管理するキーマネージャ１３０から信号を受け取り、この信号に対応した制御指示を出力するようになっている。なお、キーマネージャ１３０は、記憶保持装置２３に保持されたプログラムによりコンピュータ２１を含む上記ハードウェア上に実現される。
【００４４】
具体的には、プログラム選択キー１６ａによりシーケンスデータ格納部１０１に登録された上映シーケンスデータの１つが任意に選択されると、ＳＴＥＰシーケンサ１２０は、キーマネージャ１３０からの信号を設定マネージャ１００に送信するようになっている。なお、選択された上映シーケンスデータの登録番号がランプ１６ｂの点灯により表示される。
【００４５】
上映シーケンスデータが選択された状態でシネアド選択キー１２ａ、１３ａのいずれかが押されると、ＳＴＥＰシーケンサ１２０は、キーマネージャ１３０からの信号を設定マネージャ１００に送信し、設定マネージャ１００は、この信号に予め対応付けられた幕間ＣＭまたは有料ＣＭを、選択された上映シーケンスデータに登録し、選択された上映シーケンスデータをＳＴＥＰシーケンサ１２０に送信し、ＳＴＥＰシーケンサ１２０は、受信した上映シーケンスデータによるシーケンス制御を開始する。
【００４６】
ここで、上映シーケンスデータ２００に基づいて幕間ＣＭまたは有料ＣＭの指定登録の具体例を述べると、幕間ＣＭまたは有料ＣＭが予めデジタル記録された電子コンテンツの場合には、シネアド選択キー１２ａ、１３ａのそれぞれに対応する指定番号を幕間ＣＭまたは有料ＣＭごとに割り当て可能とし、シネアド選択キー１２a、１３ａの操作に応じて
設定マネージャ１００がその指定番号をシーケンスＳＴＥＰ２、３の設定事項（２０３）に登録するように構成することができる。なお、設定マネージャ１００により指定番号を予めシーケンスＳＴＥＰ２、３の設定事項（２０３）に登録可能とし、シネアド選択キー１２ａ、１３ａのいずれかが操作されるとＳＴＥＰシーケンサ１２０がシーケンス制御を開始するように設定可能とすればよい。
また、幕間ＣＭまたは有料ＣＭがフィルムコンテンツとしてフィルム映写機にセットされる場合には、シネアド選択キー１２ａ、１３ａのいずれかが操作されるとＳＴＥＰシーケンサ１２０がシーケンス制御を開始するように設定可能とし、設定マネージャ１００によりシーケンスＳＴＥＰ２〜４の設定事項（２０５）、（２０６）に登録する制御指示によりプロジェクタとフィルム映写機間で上映切替を適宜に実現させればよい。
【００４７】
ＳＴＥＰシーケンサ１２０の出力する制御指示は、状態管理・ログマネージャ１４０に送られる。状態管理・ログマネージャ１４０は、前記プログラム実行装置の処理履歴情報を記録するログ管理装置、および上映機器から送信された機器状態情報を記録する状態管理装置に相当し、記憶保持装置２３に保持されたプログラムによりコンピュータ２１の内蔵クロック１５０を利用して上記ハードウェア上に実現される。
【００４８】
状態管理・ログマネージャ１４０は、制御インターフェース２５ａ〜２５ｅを各種の上映機器および劇場設備機器の制御インターフェース１６１ａ〜１６３ｂとして割り振り、かつ制御対象機器との間の通信を制御するデバイスマネージャ１６０に対してＳＴＥＰシーケンサ１２０の制御指示を送信する。デバイスマネージャ１６０は、制御対象機器の接
続された制御インターフェースから出力する。すなわち、状態管理・ログマネージャ１４０、デバイスマネージャ１６０を介して制御インターフェースから出力される。なお、デバイスマネージャ１６０は、記憶保持装置２３に保持されたプログラムによりコンピュータ２１を含む上記ハードウェア上に実現される。
【００４９】
ここまでの構成により、ＳＴＥＰシーケンサ１２０が１上映シーケンスデータの全シーケンスＳＴＥＰを実行すると、デジタル記録された複数のコンテンツが再生順序と再生開始条件に従って上映機器により再生出力され、上映機器および劇場設備機器が各コンテンツの再生出力に適した設定に調整される。その結果、１幕の上映が自動的に行われる。
【００５０】
なお、ＳＴＥＰシーケンサ１２０は、デバイスマネージャ１６０により制御インターフェース２５ｄに割り振られた制御インターフェース１６２ｄに接続される各種照明の設定、制御インターフェース１６２ｃに接続されるバリマスクの画郭サイズ設定の制御指示を制御インターフェース２５ｄに備わる各種の設備機器制御キーの手動操作に応じて出力するようになっている。
さらに、ＳＴＥＰシーケンサ１２０は、クロックタイマによるシーケンスの自動制御開始も可能となっている。
【００５１】
また、シーケンス制御キー１４ａ（以下、ＳＫＩＰキー１４ａという）が手動操作されると、ＳＴＥＰシーケンサ１２０は、実行中のシーケンスＳＴＥＰをスキップして次のシーケンスＳＴＥＰを実行するようになっている。
【００５２】
また、シーケンス制御キー１４ｂ（以下、ＲＥＳＴＥＰキー１４ｂという）が手動操作されると、ＳＴＥＰシーケンサ１２０は、実行中のシーケンスＳＴＥＰを再実行するようになっている。
【００５３】
また、シーケンス制御キー１４ｇ（以下、切替キー１４ｇという）が手動操作されると、ＳＴＥＰシーケンサ１２０は、設定マネージャ１００により予めシーケンスデータ格納部１０１に登録された切替シーケンスデータを参照し、上映機器による上映を停止し、予備上映機器による上映に切り替える。
例えば、上映機器がコンテンツサーバ、プロジェクタなどのデジタル機器であり、予備上映機器としてフィルム映写機が接続されている場合、ＳＴＥＰシーケンサ１２０は、デジタル機器をＯＦＦ制御し、音響プロセッサ、場内照明機器、ステージ照明機器、誘導灯、バリマスクの制御をフィルム映写機の制御器に切り替える。これにより、デジタル機器からフィルム映写機によるコンテンツの再生出力に切り替えられる。
また、予備上映機器がデジタル機器の場合、ＳＴＥＰシーケンサ１２０は、上記の各機器の制御を続行し、予備上映機器の再生出力系統に切り替える。
【００５４】
上記の状態管理・ログマネージャ１４０は、デバイスマネージャ１６０を介して、作動中の上映機器のうち、デジタル機器（コンテンツサーバ、プロジェクタ、音響プロセッサ、シネアドプレーヤ、予告編プレーヤ、予備コンテンツサーバなど）の制御インターフェース１６１ａ〜１６１ｆであるものに対し、定期的に機器状態情報の送信要求を送信し、返信された機器状態情報を状態管理データ１４１として記憶保持装置２３に記録する。また、状態管理・ログマネージャ１４０は、ＳＴＥＰシーケンサ１２０からの出力に基づいて、少なくともシーケンスログデータを含む処理履歴情報を状態管理データ１４１として記憶保持装置２３に記録するようになっている。
【００５５】
状態管理データ１４１は、図５に概念的に示すように、デジタル機器状態管理データ１４２とアナログ機器状態管理データ１４３に分けて各機器ごとに記録され、クロック１５０による時刻記録と共に、最新のものを最上位として機器状態情報および各種の処理履歴
情報を一体的にまとめて記録するようになっている。
一例を述べると、デジタル機器状態管理データ１４２では、機器状態情報１４２ａとしてデジタル機器から受信した信号により、ステータスの取得時刻、ステータスの内容（正常／異常、ＯＮ／ＯＦＦ等）が記録される。また、ＳＴＥＰシーケンサ１２０が実行したデジタル機器に関する処理履歴情報１４２ｂ（ＳＴＥＰ処理時間と処理内容とからなるシーケンスログデータを含む）も記録される。
一方、アナログ機器状態管理データ１４３では、フィルム映写機のトリガー信号により機器状態情報１４３ａ（幕間上映開始／終了等）が記録される。また、ＳＴＥＰシーケンサ１２０が実行したアナログ機器に関する処理履歴情報１４３ｂ（ＳＴＥＰ処理時間と処理内容とからなるシーケンスログデータを含む）も記録される。
【００５６】
また、状態管理・ログマネージャ１４０は、状態管理データ１４１から上映に関わる情報（幕間ＣＭ、有料ＣＭ、予告編、本編など）を抽出した後、上記パラメータ格納部１０２に登録された通知先データに基づき、上記ネットワーク通信装置とネットワーク２を介して外部端末やサーバ等に送信する機能を備える。この送信は、外部端末やサーバ等の送信要求やシーケンス制御により行うことができる。
【００５７】
上記状態管理データ１４１は、緊急対応マネージャ１７０により監視されるようになっており、また、状態表示マネージャ１８０からの取得要求に応じて状態管理・ログマネージャ１４０により状態表示マネージャ１８０に対して送信される。
【００５８】
状態表示マネージャ１８０は、受信した状態管理データ１４１に基づき、ＬＣＤボード１５を介して液晶パネル１５ａに各機器の機器異常情報や機器状態情報を表示する機能と、ＳＴＥＰシーケンサ１２０に対するシーケンス制御の処理履歴情報の取得要求送信と該当情報の受信をリアルタイムで実行し、次シーケンスＳＴＥＰの処理内容を液晶パネル１５ａに表示する機能などを有し、記憶保持装置２３に保持されたプログラムによりコンピュータ２１を含む上記ハードウェア上に実現される。
【００５９】
一方、緊急対応マネージャ１７０は、機器状態情報１４２ａ、１４３ａの内容または受信状況に基づいて機器異常を監視する緊急対応装置に相当し、記憶保持装置２３に保持されたプログラムによりコンピュータ２１を含む上記ハードウェア上に実現される。
【００６０】
緊急対応マネージャ１７０による処理フローを図６（ａ）に基づいて説明する。緊急対応マネージャ１７０は、状態管理データ１４１を参照することにより、機器異常が発生していないか否かを定常的に検出し続け（Ｓ１）、機器異常を検出した場合には、コンテンツの上映に影響する機器異常か否かを判断し（Ｓ２）、該当する場合は上映中か否かを判断し（Ｓ３）、上映中である場合には、上映停止処理を実行する（Ｓ４）。ここで、上映中でない場合、または上記（Ｓ２）で上映に影響しないと判断した場合には、そのままＳＴＥＰシーケンサ１２０による制御が続行される（Ｓ５）。
【００６１】
上記（Ｓ４）、（Ｓ５）の後、緊急対応マネージャ１７０は、ＬＣＤボード１５を介して液晶パネル１５ａにより機器異常の内容を表示し（Ｓ６）、表示ボード１１を介してアラームランプ１１ａをその機器異常に予め定められた点灯状態とし（Ｓ７）、上記ネットワーク通信装置を介して上記通知先データの外部端末やサーバ等に機器異常の発生を示す機器異常情報を送信する（Ｓ８）。
【００６２】
上記各処理をより具体的に述べると、上記（Ｓ１）における緊急対応マネージャ１７０の機器異常検出は、次の機能により実現することができる。すなわち、カットリレー信号を監視する機能、状態管理データ１４１の機器状態情報の最新記録に一定時間を経過しても機器からの応答がない「通信異常」、機器が突発的に停止したことを示す「制御不能」
、入力モードの切り替え失敗を示す機器状態情報が記録されていた場合に機器異常と判断する機能、また、最新の処理履歴情報の制御シーケンスの値（上記設定事項において記述される）と最新の機器状態情報とを対比し、これらが不一致の場合に機器異常と判断する機能である。
【００６３】
上記機器異常情報は、シアターコントロールＢＯＸ１の識別情報と、機器異常の内容を示す情報とを含む。機器異常の内容を示す情報は、緊急対応マネージャ１７０が上記状態管理データ１４１から所定の情報を抽出する構成、又は特定の機器異常の検出結果に予め対応付けられたエラー信号を生成する構成を採用することができる。以下では、少なくとも上記識別情報と、上記抽出情報又はエラー信号とを含む機器異常情報を、単にエラーデータと呼ぶ。
【００６４】
上記（Ｓ２）における緊急対応マネージャ１７０の機器異常判断は、設定マネージャ１００により、上映に影響する機器異常のリストを上記シーケンスデータ格納部１０１に登録可能とし、緊急対応マネージャ１７０が、検出した機器異常と一致するものを予め登録されたリストから検索し、ヒットした場合に緊急対応上映続行不可と判断するように設けることにより実現することができる。
【００６５】
上記（Ｓ４）における緊急対応マネージャ１７０の上映停止処理は、設定マネージャ１００により、上記シーケンスデータ格納部１０１に予め緊急シーケンスデータを登録可能とし、緊急対応マネージャ１７０が、検出した機器異常に対応するデータを検索し、ヒットした場合にこれをＳＴＥＰシーケンサ１２０に実行させるように設けることにより実現することができる。上映に影響する機器異常は予め想定することが可能であるから、図６（ｂ）に緊急シーケンスデータを概念的に例示するように、各種の機器ごとにＳＴＥＰシーケンサ１２０に実行させる制御内容をプログラム記述しておけばよい。
【００６６】
上記のような緊急対応シーケンスにより、上記（Ｓ４）では、緊急対応マネージャ１７０が、該当する緊急対応シーケンスの実行制御指示をＳＴＥＰシーケンサ１２０に送信することによりコンテンツの上映を停止させることができる。
【００６７】
なお、上記（Ｓ２）において上映続行が可能な事例としては、例えば、予備上映機器の機器異常や、プロジェクタの中にはランプ交換を示す機器状態情報を検出した場合が挙げられる。これらの場合にも、緊急対応マネージャ１７０や状態表示マネージャ１８０により、機器異常の内容を表示させることにより、計画的な保守運用が可能となり、重大な機器異常の発生を動的に予防することができる。
【００６８】
上記（Ｓ８）までが実行されることにより、係員等は、ネットワーク２を介してシアターコントロールＢＯＸ１に接続した外部端末や、アラームランプ１１ａ、液晶パネル１５ａの表示から機器異常の内容を判断し、その内容に応じて配線回りを調査することができ、ＲＥＳＴＥＰキー１４ｂを操作することによりＳＴＥＰシーケンサ１２０による機器の再起動ができ、また、ＳＫＩＰキー１４ａにより問題のないシーケンスＳＴＥＰを飛ばして自動上映の復旧を迅速に図ることができる。
【００６９】
また、係員は、復旧に時間を要すると判断した場合、切替キー１４ｇを操作することにより、予備上映機器（この実施形態では上記のフィルム映写機）に切り替えて自動上映の復旧を迅速に図ることができる。
【００７０】
以下、シアターコントロールＢＯＸ１の第１使用例に基づいてその動作を説明する。図７に上記のシアターコントロールＢＯＸ１によりデジタルシアターを構成した第１使用例を示し、図８に第１使用例のシステムフローを示す。図７に示すように、シアターコント
ロールＢＯＸ１には、コンテンツサーバ３０１、プロジェクタ３０２、コンテンツサーバ３０１の再生音声を出力する音響機器（プロセッサ）３０３、フィルム映写機３０４、ステージ照明機器３０６、場内照明機器３０７、誘導灯３０８、バリマスク３０５、状態表示装置３０９、カットリレー３１０が接続されている。
【００７１】
コンテンツサーバ３０１、プロジェクタ３０２は、ＤＣＩ準拠のものが利用されている。コンテンツサーバ３０１は、内部記録装置にデジタル記録されたコンテンツを再生し、機器状態情報（コンテンツの再生開始、終了、エンドロールの受信開始などの処理内容や処理時刻、各種のステータス情報など）の送出機能を有する。
【００７２】
プロジェクタ３０２は、各種設定のプリセット機能、画面モード指定などが可能となっている。コンテンツサーバ３０１の映像再生データをスクリーンに投影出力する。音響機器３０３は、各種の入力切替、ＭＵＴＥ機能、状態確認機能などを有する。
【００７３】
コンテンツサーバ３０１は、プロジェクタ３０２と音響機器３０３と接続されており、プロジェクタ３０２、音響機器３０３に対し、映像データ、音響データの出力を行うようになっている。
【００７４】
フィルム映写機３０４は、再生および停止制御指示、また各コンテンツの再生開始、終了などの状態を示すトリガー信号の送受信機能を有し、音響機器３０３と接続されている。フィルム映写機３０４の再生音声データは音響機器３０３に送信される。
【００７５】
ステージ照明機器３０６、場内照明機器３０７は、リレー制御により５段階の照明調整が可能となっており、誘導灯３０８は、リレー制御によりＯＮ／ＯＦＦが可能となっている。
【００７６】
バリマスク３０５は、ＣＩＮＥＳＣＯ／ＶＩＳＴＡ／ＳＴＡＮＤＡＲＤ／ＴＶの４段階制御が可能となっている。
【００７７】
状態表示装置３０９は、上記液晶パネル１５ａやネットワーク接続された外部端末、オプションの制御インターフェースに接続された外部表示装置などで適宜に構成される。
【００７８】
カットリレー３１０は、火災報知器の作動に連動してシアターコントロールＢＯＸ１に信号を送信するようになっており、シアターコントロールＢＯＸ１は、これを受けて予め登録された緊急対応シーケンスを実行するようになっている。
【００７９】
図８のシステムフローは、各機器の主電源が投入されており、コンテンツサーバ３０１の内部記録装置に本編が記録され、フィルム映写機３０４には、シネアド選択キー１２ａの操作により選択される幕間ＣＭ、有料ＣＭ、予告編、本編を連続記録したリールが予めセットされている状態において、シネアド選択キー１２ａの操作により上記フィルム映写機３０４の幕間ＣＭと有料ＣＭが選択され、シアターコントロールＢＯＸ１のシーケンス制御が開始された直後から示している。なお、この第１使用例では、シアターコントロールＢＯＸ１の送受信する情報は、例外なく上記の状態管理データ１４１として記録するように設定されており、この処理については特に言及しない。
【００８０】
図８（ａ）に示すように、シアターコントロールＢＯＸ１は、開場から観客が座席に移動する間における劇場内の機器調整を目的としたシーケンスＳＴＥＰ１の設定内容により（Ｓ１０）の各制御を実行する。
すなわち、シアターコントロールＢＯＸ１は、プロジェクタ３０２にＭＵＴＥの制御指示を送信し、プロジェクタ３０２はＭＵＴＥ状態となる。
次に、シアターコントロールＢＯＸ１は、音響機器３０３の入力切替と音量設定の制御指示を送信し、音響機器３０３は、背景音楽やアナウンスを出力し、また実行終了の機器状態情報をシアターコントロールＢＯＸ１に返す。
これを受けて、シアターコントロールＢＯＸ１は、各種照明機器３０６、３０７、３０８に点灯の制御指示を送信し、ステージ照明機器３０６、場内照明機器３０７は、最も明るい点灯状態となり、誘導灯３０８は点灯する。
次に、シアターコントロールＢＯＸ１は、音響機器３０３にＭＵＴＥの制御指示を送信し、音響機器３０３はＭＵＴＥ状態となる。
シアターコントロールＢＯＸ１は、上記のＭＵＴＥ指示後、３００秒間待機する（Ｓ１０）。
【００８１】
３００秒経過後、シアターコントロールＢＯＸ１は、開場から観客が座席に移動する間に上映する幕間ＣＭの再生出力に伴う劇場内の機器調整を目的としたシーケンスＳＴＥＰ２の設定内容により（Ｓ２０）の各制御を実行する。
すなわち、シアターコントロールＢＯＸ１は、バリマスク３０５にＴＶサイズへの変更を指示する制御指示を送信し、バリマスク３０５はＴＶサイズに調整する。
次に、シアターコントロールＢＯＸ１は、音響機器３０３にＭＵＴＥ−ＯＦＦの制御指示を送信し、音響機器３０３は初期の音量設定で再生可能となる。
次に、シアターコントロールＢＯＸ１は、フィルム映写機３０４に再生開始の制御指示を送信し、フィルム映写機３０４は、リールを回転させて幕間ＣＭをスクリーンに上映し、音響機器３０３は、音声をスピーカより出力させる。
次に、シアターコントロールＢＯＸ１は、状態表示装置３０９に幕間ＣＭの上映開始を示す信号を送信し、状態表示装置３０９はこれを表示する。
フィルム映写機３０４は、幕間ＣＭの上映を終了すると、そのトリガー信号をシアターコントロールＢＯＸ１に送信する（Ｓ２０）。
【００８２】
これを受けて、シアターコントロールＢＯＸ１は、有料ＣＭの再生出力に伴う劇場内の機器調整を目的としたシーケンスＳＴＥＰ３の設定内容により（Ｓ３０）の各制御を実行する。
すなわち、シアターコントロールＢＯＸ１は、場内照明機器３０７、ステージ照明機器３０６に中間の点灯段階の制御指示を送信し、両照明機器３０６、３０７は、点灯段階を調整する。
次に、シアターコントロールＢＯＸ１は、音響機器３０３に音量を所定値とする制御指示を送信し、音響機器３０３は音量調整を行う。
フィルム映写機３０４は、有料ＣＭの上映を開始するとそのトリガー信号をシアターコントロールＢＯＸ１に送信する。
これを受けて、シアターコントロールＢＯＸ１は、状態表示装置３０９に有料ＣＭの上映開始を示す情報を状態表示装置３０９に送信し、状態表示装置３０９はこれを表示する。
フィルム映写機３０４は、有料ＣＭの上映を終了すると、そのトリガー信号をシアターコントロールＢＯＸ１に送信する（Ｓ３０）。
【００８３】
これを受けて、シアターコントロールＢＯＸ１は、図８（ｂ）に示すように、予告編の再生出力に伴う劇場内の機器調整を目的としたシーケンスＳＴＥＰ４の設定内容により（Ｓ４０）の各制御を実行する。
すなわち、シアターコントロールＢＯＸ１は、バリマスク３０５にＶＩＳＴＡサイズへの変更を指示する制御指示を送信し、バリマスク３０５はＶＩＳＴＡサイズに調整する。
フィルム映写機３０４は、予告編の上映を開始するとそのトリガー信号をシアターコントロールＢＯＸ１に送信する。
これを受けて、シアターコントロールＢＯＸ１は、状態表示装置３０９に予告編の上映
開始を示す信号を状態表示装置３０９に送信し、状態表示装置３０９はこれを表示する。
フィルム映写機３０４は、予告編の上映を終了すると、そのトリガー信号をシアターコントロールＢＯＸ１に送信する。
これを受けて、シアターコントロールＢＯＸ１は、フィルム映写機３０４に停止の制御指示を送信し、フィルム映写機３０４は、リールの回転を停止し、またそのトリガー信号をシアターコントロールＢＯＸ１に送信する（Ｓ４０）。
【００８４】
これを受けて、シアターコントロールＢＯＸ１は、本編の再生出力に伴う劇場内の機器調整を目的としたシーケンスＳＴＥＰ５の設定内容により（Ｓ５０）の各制御を実行する。
すなわち、シアターコントロールＢＯＸ１は、コンテンツサーバ３０１に本編再生準備の制御指示を送信し、コンテンツサーバ３０１は、本編をロードする。
次に、シアターコントロールＢＯＸ１は、バリマスク３０５にＣＩＮＥＳＣＯサイズへの変更を指示する制御指示を送信し、バリマスク３０５はＣＩＮＥＳＣＯサイズに調整する。
次に、シアターコントロールＢＯＸ１は、各種照明機器３０６、３０７、３０８にＯＦＦの制御指示を送信し、各種照明機器３０６、３０７、３０８は消灯する。
次に、シアターコントロールＢＯＸ１は、音響機器３０３に音量を所定値とする制御指示を送信し、音響機器３０３は音量調整を行う。
次に、シアターコントロールＢＯＸ１は、コンテンツサーバ３０１から再生準備完了の信号を受けると、コンテンツサーバ３０１に本編再生の制御指示を送信し、コンテンツサーバ３０１は、本編再生を開始し、またシアターコントロールＢＯＸ１に機器状態情報を返す。
これを受けて、シアターコントロールＢＯＸ１は、プロジェクタ３０２にＭＵＴＥ−ＯＦＦの制御指示を送信し、プロジェクタ３０２は、ＭＵＴＥ解除状態となり、本編の上映が開始される。
次に、シアターコントロールＢＯＸ１は、状態表示装置３０９に本編の上映開始を示す信号を状態表示装置３０９に送信し、状態表示装置３０９はこれを表示する。
シアターコントロールＢＯＸ１は、上記のＭＵＴＥ−ＯＦＦ指示後、３００秒間待機する（Ｓ５０）。
【００８５】
３００秒経過後、シアターコントロールＢＯＸ１は、本編上映中の機器調整を目的としたシーケンスＳＴＥＰ６の設定内容により（Ｓ６０）の各制御を実行する。
すなわち、シアターコントロールＢＯＸ１は、フィルム映写機３０４にＳＴＡＲＴの制御指示を送信し、フィルム映写機３０４は、リールの回転を再開し、予備上映機器として機能する。
次に、シアターコントロールＢＯＸ１は、定期的にコンテンツサーバ３０１、プロジェクタ３０２の機器状態情報を要求し、コンテンツサーバ３０１、プロジェクタ３０２はこれを返す（Ｓ６０）。
【００８６】
次に、シアターコントロールＢＯＸ１は、本編終了に備える機器調整を目的としたシーケンスＳＴＥＰ７の設定内容により（Ｓ７０）の各制御を実行する。
すなわち、シアターコントロールＢＯＸ１は、コンテンツサーバ３０１からエンドロールの受信開始を示す機器状態情報を受けると、ステージ照明機器３０６、場内照明機器３０７に点灯の制御指示を送信し、ステージ照明機器３０６、場内照明機器３０７は、最も暗い点灯状態となる（Ｓ７０）。
【００８７】
次に、シアターコントロールＢＯＸ１は、本編終了時から１幕終映までの機器調整を目的としたシーケンスＳＴＥＰ８の設定内容により（Ｓ８０）の各制御を実行する。
すなわち、シアターコントロールＢＯＸ１は、コンテンツサーバ３０１から本編の上映
終了を示す機器状態情報を受けると、プロジェクタ３０２にＭＵＴＥの制御指示を送信し、プロジェクタ３０２は、ＭＵＴＥ状態となり、その機器状態情報をシアターコントロールＢＯＸ１に送信する。
これを受けて、シアターコントロールＢＯＸ１は、順次、フィルム映写機３０４、プロジェクタ３０２に停止の制御指示を送信し、フィルム映写機３０４、プロジェクタ３０２は停止し、またプロジェクタ３０２はその機器状態情報をシアターコントロールＢＯＸ１に送信する。
次に、シアターコントロールＢＯＸ１は、音響機器３０３に入力と音量を所定値に変更する制御指示を送信し、音響機器３０３は入力と音量を調整する。
次に、シアターコントロールＢＯＸ１は、各種照明機器３０６、３０７、３０８に点灯の制御指示を送信し、ステージ照明機器３０６、場内照明機器３０７は、最も明るい点灯状態となり、誘導灯３０８は点灯する（Ｓ８０）。
この第１使用例では、以上により、１幕の上映がシアターコントロールＢＯＸ１により自動的になされる。
【００８８】
この第１使用例のように、このシアターコントロールＢＯＸ１によれば、フィルム映写機３０４でしか幕間ＣＭ、有料ＣＭ、予告編を上映することができないような上映劇場でも、各種のデジタル機器と既存のアナログ機器の両方を使用しながら上映の自動化を達成することができる。また、既存のフィルム映写機を予備上映機器として利用することもできる。したがって、このシアターコントロールＢＯＸ１は、デジタルシアターシステムを導入中の上映劇場に好適である。なお、予備上映機器としては、ＶＴＲなどの他のアナログ機器を利用することもできる。
【００８９】
次に、シアターコントロールＢＯＸ１の第２使用例を図９、図１０に基づいて説明する。なお、以下においては、上記第１使用例との相違点を述べ、同一の構成には同符号を付し、その説明を省略する。
【００９０】
図９に示すように、この第２使用例では、シアターコントロールＢＯＸ１に、幕間ＣＭや有料ＣＭを再生するためのデジタル機器であるシネアドプレーヤ３１１が接続されており、シネアドプレーヤ３１１による再生とコンテンツサーバ３０１による再生とを切り替えるＡＶ入出力切替・変換機３１２がプロジェクタ３０２との間に設けられている。
【００９１】
シネアドプレーヤ３１１は、ＤＣＩ非準拠のものが利用されているが、幕間ＣＭや有料ＣＭがデジタル記録される内部記録装置を有し、また、各種の機器状態情報の送信機能を有する。ＡＶ入出力切替・変換機３１２は、入力モードの切替や画像拡大率の制御機能などを有する。シアターコントロールＢＯＸ１には、シネアドプレーヤ３１１、ＡＶ入出力切替・変換機３１２に対応する制御コマンドがプリセットされている。
【００９２】
図１０に示すように、この第２使用例では、シアターコントロールＢＯＸ１は、幕間ＣＭの再生出力に伴う劇場内の機器調整を目的としたシーケンスＳＴＥＰ２の設定内容により（Ｓ２１）の各制御を実行する。
この（Ｓ２１）では、デジタル機器であるシネアドプレーヤ３１１により幕間ＣＭが上映されるので、照明調整後、シアターコントロールＢＯＸ１の制御指示を受けたＡＶ入出力切替・変換機３１２により、プロジェクタ３０２とシネアドプレーヤ３１１とが接続される。そして、プロジェクタ３０２の入力モードの切替や画像拡大率が所定値に調整されたことをシアターコントロールＢＯＸ１が確認した後、プロジェクタ３０２のＭＵＴＥが解除され、幕間ＣＭが上映される。そして、この上映中、プロジェクタ３０２とシネアドプレーヤ３１１の機器状態は、シアターコントロールＢＯＸ１により定期的に監視される。
【００９３】
また、シアターコントロールＢＯＸ１は、有料ＣＭの再生出力に伴う劇場内の機器調整を目的としたシーケンスＳＴＥＰ３の設定内容により（Ｓ３１）の各制御を実行する。
この（Ｓ３１）では、シアターコントロールＢＯＸ１により、ステージ照明機器３０６、場内照明機器３０７による照明が（Ｓ２１）よりもさらに暗くなるように制御された後、有料ＣＭがシネアドプレーヤ３１１により再生され、この上映中、シアターコントロールＢＯＸ１により、プロジェクタ３０２とシネアドプレーヤ３１１の機器状態が定期的に監視される。
【００９４】
この第２使用例のように、このシアターコントロールＢＯＸ１によれば、制御コマンドを適宜にプリセットしておけば、ＤＣＩ非準拠のデジタル機器を利用することが可能になり、既にデジタル機器による幕間ＣＭ、有料ＣＭの上映システムを導入している上映劇場でも、ＤＣＩ準拠のコンテンツサーバやプロジェクタと既存のデジタル機器の両方を使用しながら上映の自動化を達成することができる。また、このシアターコントロールＢＯＸ１によれば、全てのコンテンツをデジタル機器により途切れなく上映することができる。
【００９５】
上記のようなシアターコントロールＢＯＸ１の利点は、他の使用例においても発揮される。その一例としてシアターコントロールＢＯＸ１の第３使用例を図１１、図１２に基づいて説明する。なお、以下においては、上記第１使用例および上記第２使用例との相違点を述べ、同一の構成には同符号を付し、その説明を省略する。
【００９６】
図１１に示すように、この第３使用例では、シアターコントロールＢＯＸ１に、予告編を再生するためのデジタル機器である予告編プレーヤ３１３が接続されている。予告編プレーヤ３１３は、ＡＶ入出力切替・変換機３１２に接続される。
【００９７】
予告編プレーヤ３１３は、ＤＣＩ準拠、または非準拠のもののいずれでもよい。非準拠のものを利用する場合には、予めシアターコントロールＢＯＸ１に予告編プレーヤ３１３の制御コマンドをプリセットすればよい。
【００９８】
図１２に示すように、アターコントロールＢＯＸ１は、図８（ｂ）に示すように、予告編の再生出力に伴う劇場内の機器調整を目的としたシーケンスＳＴＥＰ４の設定内容により（Ｓ４１）の各制御を実行する。
この（Ｓ４１）では、シアターコントロールＢＯＸ１の制御指示を受けたＡＶ入出力切替・変換機３１２により、プロジェクタ３０２と予告編プレーヤ３１３とが接続される。そして、音響機器３０３の入力モードの切替が所定値に調整されたことをシアターコントロールＢＯＸ１が確認した後、プロジェクタ３０２のＭＵＴＥが解除され、予告編が上映される。そして、この上映中、プロジェクタ３０２と予告編プレーヤ３１３の機器状態は、シアターコントロールＢＯＸ１により定期的に監視される。
【００９９】
また、このシアターコントロールＢＯＸ１によれば、１幕の上映をデジタル機器のみで行うことが可能である。これにより、フィルム映写機の操作を無くし、係員の負担をより軽減することができる。その一例として、このシアターコントロールＢＯＸ１の第４使用例を図１３に基づいて説明する。なお、以下においては、上記第１使用例〜上記第３使用例との相違点を述べ、同一の構成には同符号を付し、その説明を省略する。
【０１００】
図１３に示すように、この第４使用例では、シアターコントロールＢＯＸ１に、予備のコンテンツサーバ３１４が接続されている。予備のコンテンツサーバ３１４は、ＡＶ入出力切替・変換機３１２に接続されている。コンテンツサーバ３０１と予備のコンテンツサーバ３１４には、同一の幕間ＣＭ、有料ＣＭ、予告編、本編が記録されている。予備のコンテンツサーバ３１４は、ＤＣＩ準拠、または非準拠のもののいずれでもよい。
【０１０１】
この第４使用例では、幕間ＣＭ、有料ＣＭを上映するためのシーケンスＳＴＥＰ２、シーケンスＳＴＥＰ３による制御内容は、上記（Ｓ２１）、（Ｓ３１）に準じ、予告編を上映するためのシーケンスＳＴＥＰ４による制御内容は上記（Ｓ４１）に準じ、本編を上映するためのシーケンスＳＴＥＰ５、７、８による制御内容は上記（Ｓ５０）、（Ｓ７０）、（Ｓ８０）に準じるが、本編上映中の機器調整を目的としたシーケンスＳＴＥＰ６の設定内容により、フィルム映写機をＳＴＡＲＴさせることに代えて、シアターコントロールＢＯＸ１が予備のコンテンツサーバ３１４に再生を開始させる点が異なる。これにより、予備のコンテンツサーバ３１４は、予備上映機器として機能する。
【０１０２】
上記のように、予備上映機器をデジタル機器から構成すれば、フィルム映写機による場合に比して、緊急時の切替運転の際、フィルム映写機の制御器に制御系を切り替える必要がなくなり、より切替上映を簡易かつ迅速に復旧を行うことができる。
【０１０３】
特に、コンテンツサーバ３０１と予備のコンテンツサーバ３１４とに同一設定により再生出力が可能なものを利用すれば、切替運転時にコンテンツサーバ３０１の設定のままでコンテンツサーバ３１４による復旧上映が可能となり、切替上映をなお一層に簡易かつ迅速に復旧を行うことができる。
【０１０４】
上記のごとく予備のコンテンツサーバ３１４を設ける場合でも、図１４に第５使用例を示すように、既存のデジタル機器（この例では、シネアドプレーヤ３１１）をシアターコントロールＢＯＸ１に接続することができる。
【０１０５】
上記シアターコントロールＢＯＸ１は、上述のようにネットワーク２を介して上映シーケンスデータや機器状態情報などの送受信機能を有する。このため、シアターコントロールＢＯＸ１によれば、遠隔操作により複数のスクリーンを有する上映劇場を、１箇所でまとめて集中制御することができる。このようなシアターコントロールＢＯＸ１を含むシアターコントロールシステムの一例を以下に説明する。
【０１０６】
図１５に示したように、Ａ社系列及びＢ社系列の各興行会社は複数の劇場を有し、各劇場に１台のシアターコントロールＢＯＸ１が設置されている。全てのシアターコントロールＢＯＸ１は、ネットワーク２に接続されている。
【０１０７】
Ａ社系列、Ｂ社系列と独立の関係にあるシアターコントロールセンターには、ネットワーク２に接続されたスイッチングＨＵＢ３（以下、単にＳＷ３という）を介してシアターコントロールＢＯＸ１のネットワーク通信装置（ＬＡＮドライバ１１０など）との間で各種の情報を送受信する通信インターフェース４０１を備えた通信サーバ４（通信装置）と、通信インターフェース５０１を介してＳＷ３に接続されたデータベースサーバ５と、通信インターフェース６０１を介してＳＷ３に接続されたＷｅｂ兼メールサーバ６とが設置されている。
【０１０８】
通信サーバ４は、各シアターコントロールＢＯＸ１側の設定マネージャ１００に上映シーケンスデータ、緊急対応シーケンスデータ、各種のパラメータを送信し、これらを登録させると共に、各種のシーケンスデータを一括設定する設定マネージャ４０２を有する。上記一括設定は、例えば、シアターコントロールＢＯＸ１側でグルーピング設定を行うことで容易に実現することができる。
【０１０９】
設定マネージャ４０２により送信される各種シーケンスデータは、データベースサーバ５のシーケンス関連データ蓄積部５０２から取得され、各種のパラメータはパラメータ蓄積部５０３から取得される。設定マネージャ４０２は、シアターコントロールＢＯＸ１側で設定されている上映シーケンスデータ等のシーケンス設定情報を取得し、シーケンス関
連データ蓄積部５０２のデータ内容と照合し、シアターコントロールＢＯＸ１側の設定の正誤を確認する。
【０１１０】
シーケンス関連データ蓄積部５０２への各種のデータ蓄積は、Ｗｅｂ兼メールサーバ６を介して実施することが可能になっている。具体的には、Ｗｅｂ兼メールサーバ６は、上記外部端末として利用される設定・閲覧用ＰＣ（Ｐｅｒｓｏｎａｌ  Ｃｏｍｐｕｔｅｒ）７のログイン機能と、ログインユーザのアクセス権限に応じて、シーケンス関連データ蓄積部５０２に対するシーケンスデータ、シーケンスログデータ等の登録・閲覧を許可する閲覧・登録マネージャ６０２を有する。このように各種のデータアクセスにログイン認証によるアクセス権限を設定すれば、不正アクセスが防止され、また、誤った上書きや理解不足による設定ミスも防止される。
【０１１１】
ここで、上記シーケンスログデータを分析すれば、有料ＣＭの上映状況を把握することができる。このため、広告依頼者のみにシーケンスログデータへのアクセス権限を設定することにより、上記シーケンスログデータの改ざんを防止し、その信頼性を確保することができる。このように、Ａ社系列、Ｂ社系列と独立の関係にある上記シアターコントロールセンター側に上記シーケンスログデータを蓄積させ、かつ上記シーケンスログデータをアクセス権限により厳重に管理することで、広告依頼者は、自己の有料ＣＭの上映履行状況を正確に把握することができる。
【０１１２】
また、通信サーバ４は、各シアターコントロールＢＯＸ１との間で、状態管理・ログマネージャ１４０が管理する上記状態管理データ１４１に含まれるデータを取得し、データベースサーバ５の状態管理ログデータ蓄積部５０４に反映させる状態管理・ログデータ取得・蓄積マネージャ４０３を有する。
【０１１３】
Ｗｅｂ兼メールサーバ６は、状態管理ログデータ蓄積部５０４に蓄積された各データの集約・表示を上記ログインユーザのアクセス権限に応じて許可する状態管理・ログデータ集約・表示マネージャ６０３を有する。
【０１１４】
また、通信サーバ４は、各シアターコントロールＢＯＸ１側の緊急対応マネージャ１７０から発せられた上記エラーデータを受信し、Ｗｅｂ兼メールサーバ６に転送し、また、状態管理ログデータ蓄積部５０４に反映させる緊急データ対応マネージャ４０４を有する。
【０１１５】
一方、Ｗｅｂ兼メールサーバ６は、通信サーバ４が上記エラーデータを受信した場合に、上記通知先として予め登録された設定・閲覧用ＰＣ７や携帯電話端末９にその内容を通知する緊急対応マネージャ６０５を有する。
【０１１６】
また、データベースサーバ５は、状態管理ログデータ蓄積部５０４から各シアターコントロールＢＯＸ１側の上映に関するデータを抽出し、これを蓄積する上映ログデータ蓄積部５０５を有する。
【０１１７】
Ｗｅｂ兼メールサーバ６は、上映ログデータ蓄積部５０５に蓄積されたデータから、指定されたコンテンツや劇場などの条件に応じて、該当するログデータを抽出し、また、統計処理を行って表示させる上映ログレポートマネージャ６０４を有する。この上映ログレポートマネージャ６０４により、手作業による上映レポートの作成が不要になり、その結果、レポートの偽造・改竄の防止を図ることができる。また、告知依頼主は、設定・閲覧用ＰＣ７により上映依頼コンテンツの上映状況を随時把握することが可能となり、劇場側による上映依頼コンテンツの確実な上映を促進させることができる。
【０１１８】
また、Ｗｅｂ兼メールサーバ６は、劇場側に設置されたチケット管理システムやスケジュール管理システムなどの管理システム８に登録された上映スケジュールデータを取得し、この上映スケジュールデータに基づいてシアターコントロールＢＯＸ１に登録可能な上映シーケンスデータを自動的に作成する他サブシステム連携マネージャ６０６を有する。この他サブシステム連携マネージャ６０６により、既存の管理システムに入力されたデータを利用して上映シーケンスデータが作成されるので、重複した入力・登録作業が回避され、その結果、スタッフの稼動軽減を図ることができる。
【０１１９】
このシアターコントロールシステムは、上述した複数のシアターコントロール１と、ネットワーク２と、ＳＷ３と、通信サーバ４と、データベースサーバ５と、Ｗｅｂ兼メールサーバ６と、設定・閲覧用ＰＣ７とで構成されている。
【０１２０】
なお、このシアターコントロールシステムでは、データベースサーバ５内に、本編や各種のコンテンツをデジタル記録するためのコンテンツ専用記録装置を設けてもよい。例えば、コンテンツ専用記録装置には、データ改変防止や不正侵入対策等のセキュリティを施して上記のコンテンツを格納すればよい。格納されたコンテンツは、シアターコントロールＢＯＸ１を経由せず、直接コンテンツサーバへ配信することができる。
【０１２１】
また、このシアターコントロールシステムでは、通信サーバ４の設定マネージャ４０２が、上記コンテンツ配信に関する情報を管理し、シアターコントロールＢＯＸ１の設定マネージャ１００に提供するように構成できる。なお、シアターコントロールＢＯＸ１がネットワーク２を介して受信した配信情報を設定マネージャ１００に保持させる必要はなく、設定マネージャ１００が通信サーバ４の設定マネージャ４０２に対して適宜に配信情報を問い合わせるようにすることができる。
【０１２２】
このシアターコントロールシステムを利用して劇場に設置されたシアターコントロールＢＯＸ１を遠隔管理する場合の具体的な処理フローを各運用処理に分けて説明する。
図１６は、シアターコントロールセンター側から、劇場に設置されるシアターコントロールＢＯＸ１の状態管理データ１４１を定期的に自動取得し、取得データを蓄積する処理の一例を示している。
【０１２３】
図１６に示す処理前の段階において、通信サーバ４の状態管理・ログデータ取得・蓄積マネージャ４０３には、自動取得の開始条件（例えば、処理実行時間帯、取得間隔）、状態管理データ１４１の取得要求内容（状態管理データ１４１の全部又は一部、例えば、処理履歴情報のみ、機器状態情報のみ）が予め係員により登録されている。この登録は、複数のシアターコントロールＢＯＸ１のそれぞれに対して可能である。
【０１２４】
上記の自動取得の開始条件になると、状態管理・ログデータ取得・蓄積マネージャ４０３は、シアターコントロールＢＯＸ１に対し状態管理データ１４１の取得要求を出す（Ｓ１００）。
この取得要求を受信したシアターコントロールＢＯＸ１は、通信サーバ４のアドレス及びパスワードを認証した後、要求に応じた状態管理データ１４１を通信サーバ４に送信する（Ｓ１０１）。
通信サーバ４の状態管理・ログデータ取得・蓄積マネージャ４０３は、受信した状態管理データ１４１に基づいて次の処理を実行する。
すなわち、状態管理・ログデータ取得・蓄積マネージャ４０３は、状態管理データ１４１に含まれるシーケンスログデータなどの処理履歴情報をデータベースサーバ５に送信し、シーケンス関連データ蓄積部５０２への書き込み処理をさせる（Ｓ１０２）。シーケンスログデータは、例えば、系列名、興行会社名、劇場名、シアターコントロールＢＯＸ１のＩＰアドレス、時刻情報、シーケンス処理履歴（プロジェクタＯＮ、照明ＯＦＦなど）
の内容を含む。
また、状態管理・ログデータ取得・蓄積マネージャ４０３は、状態管理データ１４１の処理履歴情報及び機器状態情報を利用して図１７に示すような上映ログデータを作成してデータベースサーバ５に送信し、上映ログデータ蓄積部５０５への書き込み処理をさせる（Ｓ１０３）。
また、状態管理・ログデータ取得・蓄積マネージャ４０３は、状態管理データ１４１に含まれる機器状態情報をデータベースサーバ５に送信し、状態管理ログデータ蓄積部５０４への書き込み処理をさせる（Ｓ１０４）。
上記（Ｓ１００）〜（Ｓ１０４）までの処理により、状態管理データ１４１のシアターコントロールセンター側への蓄積が完了する。
【０１２５】
図１８は、シアターコントロールセンター側のデータベースサーバ５に蓄積された各種のデータを設定・閲覧用ＰＣ７、携帯電話端末９などの任意のネットワーク端末から閲覧する処理の一例を示している。設定・閲覧用ＰＣ７等からの送信は、時刻指定等による自動処理、又はオペレータ入力によって実施される。
【０１２６】
図１８に示す処理前の段階において、データ閲覧等の各種権限を示す認証コードがＷｅｂ兼メールサーバ６の状態管理・ログデータ集約・表示マネージャ６０３に予め登録されている。この認証コードは、Ａ社、Ｂ社の社系列、興行会社、劇場、データの単位で設定することができる。
【０１２７】
先ず、設定・閲覧用ＰＣ７等は、Ｗｅｂ兼メールサーバ６にログイン要求を送信する（Ｓ１１０）。
次に、Ｗｅｂ兼メールサーバ６は、状態管理・ログデータ集約・表示マネージャ６０３で受信したログイン要求を認証する（Ｓ１１１）。
次に、認証された設定・閲覧用ＰＣ７等は、所望のデータ（シーケンスログデータなどのシーケンス関連データ、状態管理ログデータ、上映ログデータ、各種設定パラメータの全部又は一部）の閲覧要求を送信する（Ｓ１１２）。
次に、状態管理・ログデータ集約・表示マネージャ６０３は、この閲覧要求を受けてデータベースサーバ５に対し認証コードと共にデータ取得要求を送信する（Ｓ１１３）。
次に、データベースサーバ５は、認証コードを基に要求されたデータを蓄積部５０２〜５０４から抽出し、その抽出データを状態管理・ログデータ集約・表示マネージャ６０３に送信する（Ｓ１１４）。
次に、状態管理・ログデータ集約・表示マネージャ６０３は、受信した抽出データを認証された設定・閲覧用ＰＣ７等に送信し、設定・閲覧用ＰＣ７等にそのデータが表示される（Ｓ１１５）。
上記（Ｓ１１０）〜（Ｓ１１５）までの処理により、設定・閲覧用ＰＣ７等による状態管理データの閲覧処理が完了する。
【０１２８】
図１９は、設定・閲覧用ＰＣ７等からシアターコントロールセンター側に蓄積されたシーケンスデータを変更し、その変更をシアターコントロールＢＯＸ１に反映させる処理の一例を示している。設定・閲覧用ＰＣ７等からの送信は、時刻指定等による自動処理、又はオペレータ入力によって実施される。
【０１２９】
先ず、通信サーバ４の設定マネージャ４０２は、定期的にシアターコントロールＢＯＸ１にシーケンスデータの取得要求を送信する（Ｓ１２０）。
シアターコントロールＢＯＸ１は、アドレス及びパスワードの認証後に、要求に応じたシーケンスデータを抽出し、通信サーバ４に送信する（Ｓ１２１）。
設定マネージャ４０２は、受信したシーケンスデータをデータベースサーバ５にシーケンス関連データ蓄積部５０２への書き込み処理をさせる（Ｓ１２２）。
【０１３０】
設定・閲覧用ＰＣ７等からＷｅｂ兼メールサーバ６の閲覧・登録マネージャ６０２にログイン要求が送信されると（Ｓ１２３）、閲覧・登録マネージャ６０２は上記（Ｓ１１１）と同じようにログイン認証を行う（Ｓ１２４）。
次に、認証された設定・閲覧用ＰＣ７等は、シーケンス関連データ蓄積部５０２に蓄積されたシーケンスデータの閲覧要求を送信する（Ｓ１２５）。
次に、閲覧・登録マネージャ６０２は、この閲覧要求を受けてデータベースサーバ５に対し認証コードと共にデータ取得要求を送信する（Ｓ１２６）。
次に、データベースサーバ５は、認証コードを基に要求されたシーケンスデータをシーケンス関連データ蓄積部５０２から抽出し、その抽出されたシーケンスデータを閲覧・登録マネージャ６０２に送信する（Ｓ１２７）。
次に、閲覧・登録マネージャ６０２は、受信したシーケンスデータを認証された設定・閲覧用ＰＣ７等に送信し、設定・閲覧用ＰＣ７等にそのシーケンスデータが表示される（Ｓ１２８）。
【０１３１】
設定・閲覧用ＰＣ７等は、表示されたシーケンスデータの中から変更登録命令が入力された場合、閲覧・登録マネージャ６０２に変更登録要求を送信する（Ｓ１２９）。この変更登録要求は、パターン登録として実施することもできる。
【０１３２】
変更登録要求を受けた閲覧・登録マネージャ６０２は、データベースサーバ５にシーケンス関連データ蓄積部５０２への仮登録させる（Ｓ１３０）。
データベースサーバ５は、仮登録の完了を閲覧・登録マネージャ６０２に通知し（Ｓ１３１）、閲覧・登録マネージャ６０２は、設定・閲覧用ＰＣ７等に登録完了を通知する（Ｓ１３２）。
【０１３３】
次に、設定・閲覧用ＰＣ７等は、当該シアターコントロールＢＯＸ１に仮登録シーケンスデータを反映させる要求を閲覧・登録マネージャ６０２に送信する（Ｓ１３３）。
この反映要求を受けた閲覧・登録マネージャ６０２は、通信サーバ４へ反映要求を送信する（Ｓ１３４）。
通信サーバ４の設定マネージャ４０２は、その反映要求を受けてデータベースサーバ５に対し仮登録シーケンスデータの取得要求を送信する（Ｓ１３５）。
データベースサーバ５は、シーケンス関連データ蓄積部５０２から仮登録シーケンスデータを抽出し、通信サーバ４へ送信する（Ｓ１３６）。
仮登録シーケンスデータを受けた設定マネージャ４０２は、該当するシアターコントロールＢＯＸ１へその仮登録シーケンスデータと、その登録要求とを送信する（Ｓ１３７）。
これらを受けたシアターコントロールＢＯＸ１は、アドレス及びパスワードの認証後に、仮登録シーケンスデータを登録し、最新のシーケンスデータを設定マネージャ４０２に送信する（Ｓ１３８）。
最新シーケンスデータを受けた設定マネージャ４０２は、その最新シーケンスデータをデータベースサーバ５に送信し、シーケンス関連データ蓄積部５０２に書き込み処理をさせ（Ｓ１３９）、また、閲覧・登録マネージャ６０２に反映完了を通知する（Ｓ１４０）。
反映完了を受けた閲覧・登録マネージャ６０２は、設定・閲覧用ＰＣ７等にシーケンスデータの反映完了を通知する（Ｓ１４１）。
上記（Ｓ１２０）〜（Ｓ１４１）までの処理により、設定・閲覧用ＰＣ７等による状態管理データの登録変更処理が完了する。
【０１３４】
図２０は、設定・閲覧用ＰＣ７等からシアターコントロールセンター側に蓄積された各種パラメータを変更し、その変更をシアターコントロールＢＯＸ１に反映させる処理の一
例を示している。この処理は、上記シーケンスデータの変更に準じる処理であるため、概要を述べるに留める。
【０１３５】
設定マネージャ４０２は、定期的にシアターコントロールＢＯＸ１にシーケンスデータの取得要求を送信し（Ｓ１５０）、シアターコントロールＢＯＸ１は、アドレス及びパスワードの認証後に、要求に応じたパラメータを抽出し、通信サーバ４に送信し（Ｓ１５１）、設定マネージャ４０２は、受信したパラメータをデータベースサーバ５にパラメータ蓄積部５０３への書き込み処理をさせる（Ｓ１５２）。
【０１３６】
設定・閲覧用ＰＣ７等からＷｅｂ兼メールサーバ６の閲覧・登録マネージャ６０２にログイン要求が送信されると（Ｓ１５３）、閲覧・登録マネージャ６０２はログイン認証を行い（Ｓ１５４）、認証された設定・閲覧用ＰＣ７等は、パラメータ蓄積部５０３に蓄積された各種パラメータの閲覧要求を送信する（Ｓ１５５）。
閲覧・登録マネージャ６０２は、この閲覧要求を受けてデータベースサーバ５に対し認証コードと共にデータ取得要求を送信し（Ｓ１５６）、データベースサーバ５は、要求されたパラメータをパラメータ蓄積部５０３から抽出して閲覧・登録マネージャ６０２に送信し（Ｓ１５７）、閲覧・登録マネージャ６０２は、受信したパラメータを認証された設定・閲覧用ＰＣ７等に送信し、設定・閲覧用ＰＣ７等にそのパラメータが表示される（Ｓ１５８）。
【０１３７】
設定・閲覧用ＰＣ７等は、表示されたパラメータの中から変更登録命令が入力された場合、閲覧・登録マネージャ６０２に変更登録要求を送信する（Ｓ１５９）。
【０１３８】
変更登録要求を受けた閲覧・登録マネージャ６０２は、データベースサーバ５にパラメータ蓄積部５０３への仮登録させ（Ｓ１６０）、データベースサーバ５は、仮登録の完了を閲覧・登録マネージャ６０２に通知し（Ｓ１６１）、閲覧・登録マネージャ６０２は、設定・閲覧用ＰＣ７等に登録完了を通知する（Ｓ１６２）。
【０１３９】
次に、設定・閲覧用ＰＣ７等は、当該シアターコントロールＢＯＸ１に仮登録パラメータを反映させる要求を閲覧・登録マネージャ６０２に送信し（Ｓ１６３）、
この反映要求を受けた閲覧・登録マネージャ６０２は、通信サーバ４へ反映要求を送信する（Ｓ１６４）。
通信サーバ４の設定マネージャ４０２は、その反映要求を受けてデータベースサーバ５に対し仮登録パラメータの取得要求を送信し（Ｓ１６５）、データベースサーバ５は、パラメータ蓄積部５０３から抽出した仮登録パラメータを通信サーバ４へ送信する（Ｓ１６６）。
仮登録パラメータを受けた設定マネージャ４０２は、該当するシアターコントロールＢＯＸ１へその仮登録パラメータと、その登録要求とを送信する（Ｓ１６７）、これらを受けたシアターコントロールＢＯＸ１は、アドレス認証後に、仮登録パラメータを登録し、最新のパラメータを設定マネージャ４０２に送信する（Ｓ１６８）。
最新シーケンスデータを受けた設定マネージャ４０２は、その最新シーケンスデータをデータベースサーバ５に送信し、パラメータ蓄積部５０３に書き込み処理をさせ（Ｓ１６９）、また、閲覧・登録マネージャ６０２に反映完了を通知する（Ｓ１７０）。
反映完了を受けた閲覧・登録マネージャ６０２は、設定・閲覧用ＰＣ７等にパラメータの反映完了を通知する（Ｓ１７１）。
上記（Ｓ１５０）〜（Ｓ１７１）までの処理により、設定・閲覧用ＰＣ７等によるパラメータの登録変更処理が完了する。
【０１４０】
図２１は、いずれかのシアターコントロールＢＯＸ１にエラーが発生し、そのシアターコントロールＢＯＸ１から上記緊急対応マネージャ１７０によりエラーデータがシアター
コントロールセンター側に送信された場合に、設定・閲覧用ＰＣ７等にアラームが送信される処理の一例を示している。
【０１４１】
上記エラーデータは、系列名、興行会社名、劇場名、送信時刻、機器異常の緊急度及び発生時刻、異常発生後の処理履歴の内容をさらに含む。
【０１４２】
シアターコントロールＢＯＸ１がエラーデータを送信すると（Ｓ１８０）、これを受信した通信サーバ４の緊急データ対応マネージャ４０４は、Ｗｅｂ兼メールサーバ６にそのエラーデータを送信し（Ｓ１８１）、また、データベースサーバ５にそのエラーデータを送り、状態管理ログデータ蓄積部５０４に書き込み処理をさせる（Ｓ１８２）。
【０１４３】
Ｗｅｂ兼メールサーバ６の緊急対応マネージャ６０５は、エラーデータを受信すると、データベースサーバ５に緊急連絡先データの取得要求を送信する（Ｓ１８３）。
これを受けたデータベースサーバ５は、パラメータ蓄積部５０３から該当する緊急連絡先データを抽出して緊急対応マネージャ６０５に送信する（Ｓ１８４）。
【０１４４】
緊急対応マネージャ６０５は、受信した緊急連絡先データに該当する設定・閲覧用ＰＣ７等に対し、受信したエラーデータ、そのエラーデータに対応した報知等を送信する（Ｓ１８５）。この（Ｓ１８５）の処理は、複数の緊急連絡先があった場合、一斉に行われる。
上記（Ｓ１８０）〜（Ｓ１８５）までの処理により、アラーム送信処理が完了する。
【符号の説明】
【０１４５】
１  シアターコントロールＢＯＸ
２  ネットワーク
３  スイッチングＨＵＢ
４  通信サーバ
５  データベースサーバ
６  Ｗｅｂ兼メールサーバ
７  設定・閲覧ＰＣ
８  管理システム
９  携帯電話端末
１００  設定マネージャ
１１０  ＬＡＮドライバ
１２０  ＳＴＥＰシーケンサ
１４０  状態管理・ログマネージャ
１６１ａ〜１６３ｂ  制御インターフェース
１７０  緊急対応マネージャ
３０１  コンテンツサーバ
３０２  プロジェクタ
３０３  音響機器
３０４  フィルム映写機
３０５  バリマスク
３０６  ステージ照明機器
３０７  場内照明機器
３０８  誘導灯
４０２  設定マネージャ
４０３  状態管理・ログデータ取得・蓄積マネージャ
４０４  緊急データ対応マネージャ
５０２  シーケンス関連データ蓄積部
５０３  パラメータ蓄積部
５０４  状態管理ログデータ蓄積部
５０５  上映ログデータ蓄積部
６０２  閲覧・登録マネージャ
６０３  状態管理・ログデータ集約・表示マネージャ
６０４  上映ログレポートマネージャ
６０５  緊急対応マネージャ
【図１】
2010028830.tif 000003
【図２】
2010028830.tif 000004
【図３】
2010028830.tif 000005
【図４】
2010028830.tif 000006
【図５】
2010028830.tif 000007
【図６】
2010028830.tif 000008
【図７】
2010028830.tif 000009
【図８（ａ）】
2010028830.tif 000010
【図８（ｂ）】
2010028830.tif 000011
【図９】
2010028830.tif 000012
【図１０】
2010028830.tif 000013
【図１１】
2010028830.tif 000014
【図１２】
2010028830.tif 000015
【図１３】
2010028830.tif 000016
【図１４】
2010028830.tif 000017
【図１５】
2010028830.tif 000018
【図１６】
2010028830.tif 000019
【図１７】
2010028830.tif 000020
【図１８】
2010028830.tif 000021
【図１９】
2010028830.tif 000022
【図２０】
2010028830.tif 000023
【図２１】
2010028830.tif 000024